(57)【要約】【課題】文字板とケースとの固定方法に工夫を凝らして、振動を受けても文字板とケースの固定部分から異音が発生することを防止できる計器を提供する。【解決手段】ケース２に、環状の戴置部２ａと、戴置部２ａの内周側において戴置部２ａと同軸上の円筒状に形成されたガイド部２ｂを設け、文字板１の貫通孔１ｃをガイド部２ｂと嵌合させ且つ文字板１を戴置部２ａに当接させた状態で、文字板固定リング３を、文字板１の表面１ｄ側からガイド部２ｂに嵌合させ係止面３ｂに係止爪２ｄを係止して固定した。これにより、文字板１は、貫通孔１ｃの周囲において、戴置部２ａと文字板固定リング３の押さえ面３ｃとにより表裏両面から挟まれて円環状に支持され固定されている。したがって、タコメータＴが振動した場合に、文字板１の貫通孔１ｃ周囲部分の変形が確実に抑制され、異音発生を防止できるタコメータＴを提供することができる。【選択図】図３
2008020413.tif 000002
【特許請求の範囲】
【請求項１】
貫通孔を備える文字板と、
前記文字板の前記貫通孔の周囲を支持する固定部を備えた保持部材と、
前記固定部と係合することにより前記文字板を前記保持部材に固定する略環状の固定部材とを備える計器であって、
前記固定部は、前記文字板の裏面において前記貫通孔の周囲を支持する戴置部と、該戴置部から文字板の表面側に突き出し且つ前記貫通孔と嵌合可能に形成されたガイド部と、該ガイド部の先端側に前記ガイド部と略同心上且つ直径が前記ガイド部より小さく形成された導入部と、該導入部の一部が前記導入部の径方向に突き出して形成された係止爪とから構成され、
前記固定部材は前記ガイド部の外周と嵌合する内周孔の前記文字板とは反対側の端面である係止面に前記係止爪が当接して前記固定部に係止され、
前記文字板の前記貫通孔を前記固定部の前記ガイド部に嵌合させた状態で前記固定部材が前記固定部に係止されると、前記固定部材の前記係止面と反対側の端面が前記文字板の表面において前記貫通孔の周囲を支持し、それにより前記文字板が前記戴置部と前記固定部材との間に挟持固定されて前記保持部材に固定されることを特徴とする計器。
【請求項２】
前記係止爪は前記導入部の軸方向の途中に形成されることを特徴とする請求項１に記載の表示装置。
【請求項３】
前記導入部の前記ガイド部と隣接する部分はその直径が前記ガイド部に近づくに連れて徐々に拡大されて前記導入部から前記ガイド部に滑らかにつながるテーパ面状に形成されることを特徴とする請求項１または請求項２に記載の表示装置。
【請求項４】
前記文字板の表面に沿って回動可能に配置された透光性の指針と、
前記文字板の背後に設けられ前記指針を回動させるムーブメントと、
前記文字板の背後に設けられ前記指針を照明する光源とを備え、
前記固定部は円筒状に形成され、
前記ムーブメントの回転軸および前記指針のボス部の少なくとも一方が前記円筒部の内周孔部内を挿通し、
前記光源が発する光が前記内周孔部内を通って前記指針を照射することを特徴とする請求項１ないし請求項３のいずれかに記載の計器。
【請求項５】
前記固定部材には前記係止面の外周に前記内周孔と同心上の円筒部が設けられ、
前記円筒部は前記固定部材が前記固定部に係止固定されると軸方向において前記固定部よりも前面側に突き出すことを特徴とする請求項１ないし請求項４のいずれかに記載の計器。
【請求項６】
指針の回転軸を挿通する貫通孔を有する文字板と、
該文字板が保持されるとともに前記文字板の前記貫通孔の背面側の全周囲を支持する戴置部を有するガイド部を備えた保持部材と、
該保持部材の前記ガイド部に嵌合されることにより前記保持部材の前記戴置部との間で前記文字板の前記貫通孔の全周囲を挟持固定する環状の固定部材と、を備え、
前記保持部材の前記ガイド部には前記固定部材を係止する係止部が形成されており、
前記固定部材は前記係止部を乗り越えて前記係止部と前記文字板の前記貫通孔の表面側の全周囲との間に挟持されていることを特徴とする計器。
【発明の詳細な説明】
【技術分野】
【０００１】
本発明は、たとえば自動車に搭載されて各種情報を表示する計器に関するものである。
【背景技術】
【０００２】
従来の計器としては、指針照明用の光源を収納する指針照明室を取り囲む仕切り部材に、文字板の指針挿通且つ指針照明用孔部の周囲を支持する戴置部を設けると共にこの戴置部との間に文字板を挟持固定する係止部を設けた構成のものがある（特許文献１参照）。
【０００３】
この場合、係止部において、文字板は、戴置部と爪部との間に挟まれて固定されている。
【特許文献１】特許第３２１１２２９号公報
【発明の開示】
【発明が解決しようとする課題】
【０００４】
上述の従来の計器では、戴置部はリング状に形成される一方、爪部は対向して２個設けられている。したがって、文字板が係止部に固定されると、文字板の孔部周縁の裏面は全周にわたり戴置部に当接しているが、文字板の表面は孔部の周方向において２箇所で爪部に当接している。このため、文字板は、爪部に当接していない部分が戴置部から離れる方向に変形し易い状態となっている。
【０００５】
このため、文字板が固定された後に、計器が振動すると、文字板が上述のように部分的に変形し、その結果、文字板の孔部の周囲と仕切り部材とが衝突を繰り返して異音が発生する可能性があった。
【０００６】
本発明は、上記の問題点に鑑みなされたもので、文字板と仕切り部材との固定方法に工夫を凝らして、振動を受けても文字板の保持部から異音が発生することを防止できる計器を提供することを目的とする。
【課題を解決するための手段】
【０００７】
本発明は上記目的を達成する為、以下の技術的手段を採用する。
【０００８】
本発明の請求項１に記載の計器は、貫通孔を備える文字板と、文字板の貫通孔の周囲を支持する固定部を備えた保持部材と、固定部と係合することにより文字板を保持部材に固定する略環状の固定部材とを備える計器であって、固定部は、文字板の裏面において貫通孔の周囲を支持する戴置部と、該戴置部から文字板の表面側に突き出し且つ貫通孔と嵌合可能に形成されたガイド部と、該ガイド部の先端側にガイド部と略同心上且つ直径がガイド部より小さく形成された導入部と、該導入部の一部が導入部の径方向に突き出して形成された係止爪とから構成され、固定部材はガイド部の外周と嵌合する内周孔の文字板とは反対側の端面である係止面に係止爪が当接して固定部に係止され、文字板の貫通孔を固定部のガイド部に嵌合させた状態で固定部材が固定部に係止されると、固定部材の係止面と反対側の端面が文字板の表面において貫通孔の周囲を支持し、それにより文字板が戴置部と固定部材との間に挟持固定されて保持部材に固定されることを特徴としている。
【０００９】
上述した構成によれば、文字板は固定部材と戴置部との間に挟持固定されて保持部材に固定される。ここで、固定部材は環状に形成されているので、文字板表面の貫通孔の全周にわたり当接可能である。一方、戴置部も、文字板の貫通孔と嵌合するガイド部の外周に形成されているので、文字板裏面の貫通孔の周囲部分全周にわたり当接可能である。したがって、文字板が固定部材と戴置部との間に挟持固定されると、文字板は、その表裏両面の貫通孔の周囲部分全周において支持されるため、貫通孔の周縁部の変形が抑制される。
【００１０】
これにより、計器が振動したときに、文字板が変形して文字板と保持部材とが衝突することが抑制されるので、振動を受けたときに文字板の保持部分から異音が発生することを防止可能な計器を実現することができる。
【００１１】
さらに、固定部において、ガイド部の先端側に設けた導入部の直径をガイド部の直径より小さく設定し且つ導入部に係止爪を設けているので、固定部材を円筒部に係止させる作業が容易に実施可能となる。すなわち、固定部材を固定部に係止させる作業において、先ず、固定部材を、その内周孔に導入部を挿入しつつ戴置部に向かって押し込む。このとき、係止爪が内周孔の壁面を径方向に押すため、固定部材には、内周孔の形状を円形から楕円形に変形させるような力が作用する。ここで、内周孔の直径はガイド部としっくり嵌合するような大きさに形成されているため、内周孔および導入部間の隙間は、内周孔およびガイド部間の隙間より大きい。したがって、固定部材が導入部に押し込まれ、固定部材に上述した力が作用すると、それにより固定部材は容易に変形して、つまり内周孔の形状が円形から楕円形に容易に変形するので、爪部が固定部材に及ぼす力、つまり固定部材を押し込むときの抵抗力を小さくすることができる。
【００１２】
また、係止爪は導入部に設けられているので、爪部が固定部材に係止する直前まで固定部材を押し込むときの抵抗力を小さくすることができる。すなわち、固定部材を固定部に係止するのに要する操作力を小さくして、作業性を向上することができる。
【００１３】
この場合、本発明の請求項２に記載の発明のように、係止爪を導入部の軸方向の途中に形成してもよい。
【００１４】
このような構成においては、導入部の軸方向において、係止爪とガイド部との間にもガイド部より小径の導入部が存在する。これにより、爪部が固定部材に係止する直前まで固定部材を押し込むときの抵抗力を確実に小さくして、固定部材を固定部に係止する作業を容易化することができる。
【００１５】
本発明の請求項３に記載の計器は、導入部のガイド部と隣接する部分はその直径がガイド部に近づくに連れて徐々に拡大されて導入部からガイド部に滑らかにつながるテーパ面状に形成されることを特徴としている。
【００１６】
上述した構成によれば、固定部材を固定部に装着する作業時において、固定部材をガイド部と嵌合させ係止爪と係止させるまで押し込む際の固定部材の移動を滑らかにすることができ、作業性を向上できる。
【００１７】
本発明の請求項４に記載の計器は、文字板の表面に沿って回動可能に配置された透光性の指針と、文字板の背後に設けられ指針を回動させるムーブメントと、文字板の背後に設けられ指針を照明する光源とを備え、固定部は円筒状に形成され、ムーブメントの回転軸および指針のボス部の少なくとも一方が円筒部の内周孔部内を挿通し、光源が発する光が内周孔部内を通って指針を照射することを特徴としている。
【００１８】
上述した構成によれば、指針の回転軸を挿通させ且つ指針照射用光通路となる貫通孔の周囲において文字板を保持部材に固定する構成においても、振動を受けたときに文字板の保持部分から異音が発生することを防止できる計器を実現することができる。
【００１９】
本発明の請求項５に記載の計器は、固定部材には係止面の外周に内周孔と同心上の円筒部が設けられ、円筒部は固定部材が固定部に係止固定されると軸方向において固定部よりも前面側に突き出すことを特徴としている。
【００２０】
このような構成によれば、文字板の表面に突き出している固定部の係止爪は固定部材の円筒部の陰になって視認者から見え難くなる。したがって、文字板表面における固定部材および固定部周辺の見映えを良好なものにできる。
【００２１】
ところで、固定部材および固定部の文字板表面における突き出し量は計器の見映えを良好にする上で小さいことが望ましい。しかしながら、このようにすると、固定部の内周孔部を指針照明用光の通路とした場合、指針照明用光が文字板表面に向かって洩れて計器の見映えが低下する恐れがある。そこで、固定部材に円筒部を設けることにより、指針照明用光が文字板表面に向かって洩れることを阻止して、計器の見映えを良好なものにすることができる。
【００２２】
本発明の請求項６に記載の計器は、指針の回転軸を挿通する貫通孔を有する文字板と、文字板が保持されるとともに文字板の貫通孔の背面側の全周囲を支持する戴置部を有するガイド部を備えた保持部材と、保持部材のガイド部に嵌合されることにより保持部材の戴置部との間で文字板の貫通孔の全周囲を挟持固定する環状の固定部材とを備え、保持部材のガイド部には固定部材を係止する係止部が形成されており、固定部材は係止部を乗り越えて係止部と文字板の貫通孔の表面側の全周囲との間に挟持されていることを特徴としている。
【００２３】
このような構成によっても、請求項１の発明と同様の効果を達成することができる。
【発明を実施するための最良の形態】
【００２４】
以下、本発明による計器を自動車に搭載されるコンビネーションメータ１００に組み込まれたタコメータＴに適用した場合を例に図面に基づいて説明する。
【００２５】
図１は、本発明の一実施形態によるタコメータＴを備えたコンビネーションメータ１００の部分正面図である。
【００２６】
図２は、図１中のＩＩ−ＩＩ線断面図である。
【００２７】
図３は、図２中のＩＩＩ部拡大図である。
【００２８】
図４は、図３中のＩＶ矢視図である。
【００２９】
図５は、図４中のＶ−Ｖ線断面図である。
【００３０】
図６は、本発明の一実施形態によるタコメータＴの電気回路構成を説明する模式図である。
【００３１】
コンビネーションメータ１００は、自動車の運転席前方の運転者から視認可能な位置に配設され、図１に示すように、当該自動車のエンジン回転速度を指示するタコメータＴを備えるとともに、図示しない他の計器や各種インジケータ等を備えている。運転席は、図２においてコンビネーションメータ１００の左側にあり、コンビネーションメータ１００は、図２において左側から運転者によって視認される。
【００３２】
タコメータＴは、指針５の回動角度により速度を指示する指針計器として構成されている。すなわち、視認者側から順に、図２に示すように、指針５、文字板１および指針５を回動させるためのムーブメント４を備えている。
【００３３】
以下、タコメータＴの構成について説明する。
【００３４】
文字板１は、透光性材質、たとえば透明なポリカーボネート等の薄板から形成されている。また、文字板１は、図１に示すように、タコメータＴにおいてエンジン回転速度を指示する表示意匠としての目盛１ａ、文字１ｂを備えている。目盛１ａおよび文字１ｂは、文字板１の表面１ｄあるいは裏面１ｅに印刷あるいはホットスタンプ等を施すことにより形成されている。すなわち、目盛１ａおよび文字１ｂ以外の部分に不透光性着色層あるいは半透光性着色層を設けると共に、目盛１ａおよび文字１ｂを透明なままとする、あるいは半透光性着色層を設ける等の処理を施してある。本発明の一実施形態によるタコメータＴにおいては、目盛１ａおよび文字１ｂは半透光性の黄色に、目盛１ａおよび文字１ｂ以外の部分は半透光性の濃青色にそれぞれ着色されている。したがって、後述する、文字板１の裏側に配置される光源である発光ダイオード８が点灯されると、それが発する光により文字板１は透過照明されて、濃青色の背景中に目盛１ａおよび文字１ｂが黄色で発光表示される。
【００３５】
文字板１には、図２に示すように、貫通孔１ｃが設けられている。文字板１は、保持部材であるケース２に保持固定されている。貫通孔１ｃは、後述するケース２が備えるガイド部２ｂと嵌合するためのものである。
【００３６】
文字板１を保持固定する保持部材としてのケース２は、たとえば樹脂材料から形成されている。ケース２は、文字板１の貫通孔１ｃの周囲を支持する固定部としての、戴置部２ａ、ガイド部２ｂ、導入部２ｃおよび係止爪２ｄを備えている。
【００３７】
戴置部２ａは、文字板１の裏面１ｅにおいて貫通孔１ｃの周囲部分全周にわたり当接可能に形成されている。すなわち、戴置部２ａは、文字板１の裏面１ｅの貫通孔１ｃを除いた大部分に当接支持するように形成されている。
【００３８】
ガイド部２ｂは、図２に示すように、戴置部２ａから文字板１の表面１ｄ側（図２の左側）に突き出し且つ円筒状に形成されている。ガイド部２ｂの外径は、文字板１の貫通孔１ｃと嵌合可能な大きさに設定されている。
【００３９】
ガイド部２ｂの先端側、つまり文字板１から突き出した側（図２の左側）の先端には、図５に示すように、導入部２ｃが形成されている。導入部２ｃは、ガイド部２ｂと同心上且つその直径がガイド部２ｂの直径よりも小さく形成されている。すなわち、導入部２ｃは、その先端側に形成された直径がほぼ一様のストレート部２ｆと、ガイド部２ｂと隣接する部分、つまりストレート部２ｆとガイド部２ｂとの間に形成されたランプ部２ｇとから構成されている。ランプ部２ｇは、その直径がストレート部２ｆ側からガイド部２ｂに近づくに連れて徐々に拡大されている。すなわち、ランプ部２ｇは、図５に示すように、ストレート部２ｆとガイド部２ｂとを滑らかにつなぐテーパ面状に形成されている。
【００４０】
ガイド部２ｂおよび導入部２ｃの内周孔部２ｅは、図２に示すように、その中に後述するムーブメント４の回転軸であるシャフト４ａおよび後述する指針５のボス部５ｂが挿通されている。さらに、内周孔部２ｅは、指針５照明用の光源である発光ダイオード６が発する光を指針５へ導く通路となっている。同時に、ガイド部２ｂは、発光ダイオード６が発する光が指針５以外の方向へ洩れることを阻止するための遮光壁としての役割を果たしている。そのため、ガイド部２ｂは、図２に示すように、発光ダイオード６が実装されているプリント基板７の表面に当接するように延長されている。
【００４１】
導入部２ｃの軸方向の途中には、導入部２ｃの周方向の一部が径方向に突き出すように形成された係止爪２ｄが設けられている。係止爪２ｄは、図４に示すように、導入部２ｃの周方向において１８０度間隔で２個設けられている。係止爪２ｄは、後述する固定部材としての文字板固定リング３がガイド部２ｂに嵌合されると、文字板固定リング３の係止面３ｂに係止して、文字板固定リング３の文字板１から離れる方向への移動を阻止する。
【００４２】
固定部材である文字板固定リング３は、樹脂材料から略環状に形成されている。文字板固定リング３は、図２に示すように、その内周孔３ａがケース２のガイド部２ｂと嵌合している。文字板固定リング３の、内周孔３ａの文字板１と反対側の端面は円環状を成し、ケース２の係止爪２ｄと係止するための係止面３ｂを形成している。文字板固定リング３の、内周孔３ａの文字板１側の端面は円環状を成し、文字板１の表面１ｄに当接して指示する押さえ面３ｃを形成している。押さえ面３ｃは、文字板固定リング３がケース２に固定される、つまり係止面３ｂに係止爪２ｄが係止されると、文字板１の表面１ｄに当接する。その結果、文字板１は、その表裏両面の貫通孔１ｃの周囲部分全周において支持されている。係止面３ｂの外周側には、図２に示すように、円筒部である遮光筒３ｄが設けられている。遮光筒３ｄは内周孔３ａと同心上に形成されている。遮光筒３ｄの文字板固定リング３の軸方向における係止面３ｂからの突き出し長さＬ１は、図３に示すように、係止爪２ｄのガイド部２ｂの軸方向における長さＬ２よりも長く設定されている。これにより、文字板固定リング３がガイド部２ｂに嵌合して係止爪２ｄと係止されると、遮光筒３は、導入部２ｃよりも前面側（図２において左側）に突き出している。
【００４３】
文字板１の裏面側には、図２に示すように、プリント基板７が配置されている。プリント基板７は、たとえばガラスエポキシ基板等からなり、タコメータＴの電気回路部を形成している。さらには、コンビネーションメータ１００の電気回路部をも形成している。
【００４４】
プリント基板７には、図２に示すように、ムーブメント４が実装されている。ムーブメント４は、交差コイル式アクチュエータあるいはステッピングモータ等からなり、外部からの電気信号（本発明の一実施形態によるタコメータＴにおいてはエンジンの回転信号）に対応した角度だけシャフト４ａを回動させるものである。
【００４５】
ムーブメント４のシャフト４ａの先端には、図２に示すように、指針５が固定されている。指針５は、透光性材料、たとえばポリカーボネート樹脂等により形成されている。指針５は、図２に示すように、走行速度を指示するためのポインタ部５ａと指針５をシャフト４ａに固定するためのボス部５ｂとから構成されている。指針５には、図２に示すように、そのボス部５ｂとシャフト４ａの軸方向において対向する側に、遮光キャップ９が装着されている。遮光キャップ９は、遮光性材質、たとえば金属あるいは着色樹脂等から形成されている。遮光キャップ９は、内周孔部２ｅを介して照射される発光ダイオード６からの光が指針５外へ漏れて文字板１等を照射してしまい、タコメータＴの見映えが低下することを阻止している。
【００４６】
プリント基板７には、指針５を照明する光源である発光ダイオード６と、文字板１を透過照明するための光源である発光ダイオード８が実装されている。なお、本発明の一実施形態によるタコメータＴにおいては、両発光ダイオード６、８として、白色発光ダイオードが用いられている。
【００４７】
また、プリント基板７には、ムーブメント４の駆動制御および両発光ダイオード６、８の点灯・消灯制御を行なうコントローラ１０が実装されている。コントローラ１０は、たとえばマイクロコンピュータ等から構成されている。
【００４８】
文字板１の前面側（図２において左側）には見返し板１１が固定されている。見返し板１１は、たとえば樹脂材料等から形成されている。見返し板１１は、タコメータＴの輪郭を形成するとともに、コンビネーションメータ１００の見映えを整えている。
【００４９】
見返し板１１の前面側（図２の左側）端部には、図２に示すように、フロントグラス１２が装着されている。フロントグラス１２は、透明な樹脂の薄板あるいはガラス等から形成されている。一方、ケース２の裏面側（図２の左側）には、ロアケース１３が装着されている。ロアケース１３は、たとえば樹脂材料から形成されている。ロアケース１３は、ケース２とともに、上述した文字板１、ムーブメント４、プリント基板７等を収容保持している。
【００５０】
次に、以上説明した、本発明の一実施形態によるタコメータＴの電気回路構成について、図６に基づいて説明する。
【００５１】
図６の電気回路構成図に示すように、コントローラ１０には、バッテリ１５から電力が常時供給されている。コントローラ１０には、イグニッションスイッチ１４が、その作動状態（ＯＮまたはＯＦＦ）を検出可能に接続されている。コントローラ１０には、当該自動車のエンジン回転速度を検出する回転センサ１６が検出信号を入力可能に接続されている。コントローラ１０には、ムーブメント４、発光ダイオード６、発光ダイオード８が接続されている。
【００５２】
次に、以上説明したように構成された本発明の一実施形態によるタコメータＴの作動について説明する。
【００５３】
（１）イグニッションスイッチ１４がＯＮされた場合。
【００５４】
運転者によりイグニッションスイッチ１４がＯＮされると、コントローラ１０は、イグニッションスイッチ１４がＯＮされたことを検知してタコメータＴの表示制御を開始する。
【００５５】
すなわち、発光ダイオード６、８を点灯させるとともに、回転センサ１６からの検出信号に基づき当該自動車のエンジン回転速度を算出するとともにムーブメント４を駆動して、シャフト４ａを所定角度、すなわち当該自動車のエンジン回転速度を指示する角度まで回動させて指針４によりそれを指示する。
【００５６】
なお、回転センサ１６としては、たとえば電磁ピックアップ型、あるいは磁電変換素子（ホール素子、磁気抵抗素子等）型が用いられる。回転検出対象としては、エンジンのクランク軸あるいはカム軸となっている。
【００５７】
（２）イグニッションスイッチ１４がＯＦＦされた場合。
【００５８】
運転者によりイグニッションスイッチ１４がＯＦＦされると、コントローラ１０は、イグニッションスイッチ１４がＯＦＦされたことを検知して、発光ダイオード６、８を消灯させる。同時に、コントローラ１０は、ムーブメント４の駆動を停止する。
【００５９】
次に、本発明の一実施形態によるタコメータＴの特徴である、文字板固定リング３をケース２に係止させて、文字板固定リング３およびケース２の戴置部２ａにより文字板１を挟持固定する構成の作用効果について、従来の計器の場合と対比させながら説明する。
【００６０】
先ず、従来の計器においては、文字板の貫通孔にケースの環状凸部を嵌合させ、環状凸部の基部に形成された環状の戴置部により文字板の裏面を支持するとともに、環状凸部先端に環状凸部の周方向に２個設けられた爪部により文字板の表面を支持している。この場合、文字板の裏面は貫通孔周縁の全周が戴置部に支持されているが、文字板の表面は、貫通孔周縁の２箇所で押さえられている。このため、計器が振動すると、文字板は爪部を支点として戴置部から離れる方向に変形し、その結果、文字板と戴置部あるいは環状凸部とが衝突して異音が発生する可能性があった。
【００６１】
これに対して、本発明の一実施形態によるタコメータＴにおいては、ケース２に、戴置部２ａと、戴置部２ａから文字板１の表面１ｄ側に突き出して円筒状に形成されたガイド部２ｂと、ガイド部の前面側先端にガイド部と同軸上且つ直径がガイド部２ｂの直径よりも小さく形成された導入部２ｃと、導入部２ｃの軸方向途中に導入部２ｃの周方向の一部を径方向に突き出させて形成された係止爪２ｄとを設け、文字板１の貫通孔１ｃをガイド部２ｂと嵌合させ且つ文字板１の裏面１ｅを戴置部２ａに当接させた状態で、文字板１の表面１ｄ側からガイド部２ｂに環状の文字板固定リングの内周孔３ａを嵌合させ、文字板固定リング３の係止面３ｂに係止爪２ｄを係止する構成としている。
【００６２】
この状態において、文字板１は、その裏面１ｅにおいて貫通孔１ｃの周囲部分全周が戴置部２ａによって支持され、且つ文字板１は、その表面１ｄにおいて貫通孔１ｃの周囲で文字板固定リング３の押さえ面３ｃにより円環状に支持されている。すなわち、文字板１は、表裏両面の貫通孔１ｃの周囲部分全周において支持されている。
【００６３】
このため、タコメータＴが振動した場合に、文字板１の貫通孔１ｃ周囲部分が変形することが確実に抑制される。したがって、振動を受けた際に文字板１がケース２に衝突して異音が発生することを防止できるタコメータＴを提供することができる。
【００６４】
ここで、本発明の一実施形態によるタコメータＴにおける、文字板１固定作業について簡単に説明する。
【００６５】
初めに、文字板１の貫通孔１ｃをガイド部２ｂに嵌合させつつ、文字板１の裏面１ｅを戴置部２ａに当接させる。
【００６６】
続いて、文字板１の表面１ｄ側から文字板固定リング３の内周孔３ａをガイド部２ｂに嵌合させつつ文字板２側に押し込んで、係止爪２ｄを係止面３ｂに係止させる。この、文字板固定リング３装着作業について、以下に詳細に説明する。
【００６７】
先ず、図７に示すように、文字板固定リング３の内周孔３ａ内に導入部２ｃを挿入させつつ、文字板固定リング３を文字板１に向かって押し込んでいく。導入部２ｃに設けられた２個の係止爪２ｄの外接円直径は文字板固定リング３の内周孔３ａの直径より大きいので、文字板固定リング３は、図８に示すように、自然状態の円形から楕円形に弾性変形する。
【００６８】
さらに、文字板固定リング３を文字板１に向かって押し込んでいくと、２個の係止爪２ｄは文字板固定リング３の内周孔３ａを通過する。すると、楕円形に弾性変形していた文字板固定リング３が元の円形に戻るとともに、各係止爪２ｄが文字板固定リング３の係止面３ｂに係止する。
【００６９】
これにより、文字板固定リング３装着作業が終了し、文字板１取り付け作業が完了する。このとき、図５に示すように、文字板固定リング３の内周孔３ａは、その軸方向において一部は導入部２ｃに係っているものの、ガイド部２ｂに確実に嵌合している。したがって、文字板１取り付け作業完了後には、文字板固定リング３の径方向移動可能量は極わずか、つまり内周孔３ａの直径とガイド部２ｂの直径との差だけとなり、タコメータＴ完成後において、タコメータＴが振動しても、文字板固定リング３自体が移動してケース２と衝突して異音が出ることはない。
【００７０】
ここで、本発明の一実施形態によるタコメータＴにおいて、導入部２ｃのストレート部２ｆの直径は、上述した文字板固定リング３装着作業中において文字板固定リング３が弾性変形したときの内周孔３ａの形状、すなわち楕円の短径よりも小さく設定されている。なお、文字板固定リング３の弾性変形度合いは、２個の係止爪２ｄは文字板固定リング３の内周孔３ａを通過する直前に最大となり、そのときの楕円の短径よりも小さく設定されている。
【００７１】
これにより、文字板固定リング３装着作業において、文字板１の表面１ｄ側から文字板固定リング３の内周孔３ａをガイド部２ｂに嵌合させつつ文字板２側に押し込む際に、文字板固定リング３は、導入部２ｃの表面に沿って滑らかに移動することができる。
【００７２】
また、本発明の一実施形態によるタコメータＴにおいて、係止爪２ｄは、導入部２ｃの軸方向途中に設けられている。言い換えると、導入部２ｃは、軸方向において係止爪２ｄよりも文字板１側にも設けられている。
【００７３】
これにより、文字板固定リング３装着作業において、文字板固定リング３を、導入部２ｃの表面に沿って確実に滑らかに移動させることができる。
【００７４】
また、本発明の一実施形態によるタコメータＴにおいて、導入部２ｃのガイド部２ｂ側に、ガイド部２ｂ側に向かって直径が拡大するテーパ面状のランプ部２ｇを設けている。
【００７５】
これにより、文字板固定リング３装着作業において、文字板固定リング３を、導入部２ｃの表面に沿って確実に滑らかに移動させることができる。
【００７６】
以上説明したように、本発明の一実施形態によるタコメータＴの構成によれば、振動を受けた際に文字板１がケース２に衝突して異音が発生することを防止できるとともに、文字板固定リング３の装着作業を容易且つスムーズに実施することができる。
【００７７】
また、本発明の一実施形態によるタコメータＴにおいては、文字板固定リング３において、係止面３ｂの外周側に遮光筒３ｄを設けている。さらに、遮光筒３ｄの文字板固定リング３の軸方向における係止面３ｂからの突き出し長さＬ１は、係止爪２ｄのガイド部２ｂの軸方向における長さＬ２よりも長く設定して、タコメータＴ完成状態において、遮光筒３ｄを、導入部２ｃよりも前面側に突き出させている。
【００７８】
これにより、運転者の視線から係止爪２ｄを遮って、タコメータＴの見映えを良好なものとすることができる。また、文字板１の背後に配置された発光ダイオード６から発せられてケース２の内周孔部２ｅを通って指針５を照射する光が、文字板１の表面１ｄ側へ洩れて文字板１の見映えが低下することを防止できる。
【００７９】
なお、以上説明した、本発明の一実施形態によるタコメータＴにおいては、導入部２ｃに設けた係止爪２ｄの個数を２個としているが、３個以上であってもよい。また、このような場合、文字板固定リング３がこれら係止爪２ｄを容易に乗り越えて文字板１の貫通孔１ｃの表面側の全周囲に戴置されるように、文字板固定リング３に１箇所、切欠き溝を形成してもよい。これにより、文字板固定リング３が係止爪２ｄを乗り越える際に、上述の切欠き溝が開くことで文字板固定リング３の径が拡大するので乗り越えが容易となり、乗り越えた後は切欠き溝が閉じることで文字板固定リング３の径が元に復帰し、文字板固定リング３が係止爪２ｄを乗り越えて脱落することを回避できる。
【００８０】
また、以上説明した、本発明の一実施形態は、本発明の計器をタコメータＴに適用したものであるが、計器をタコメータＴに限定する必要は無く、他の種類の計器、たとえば自動車の走行速度を指示するスピードメータ、あるいは燃料タンク内残存燃料量を指示する燃料計、エンジン冷却水温度を指示する水温計等に適用してもよい。
【００８１】
また、一つのコンビネーションメータ１００内に、本発明が適用された計器を複数個配置してもよい。
【００８２】
また、以上説明した、本発明の一実施形態は、ガイド部２ｂおよび導入部２ｃを筒状として、その内周孔部２ｅを計器の指針挿通および指針照明用光の通路として利用しているが、このような構成に限る必要はなく、たとえばガイド部２ｂおよび導入部２ｃを中実状に形成して、単純に文字板１を固定する機能のみを備えるような構成としてもよい。
【図面の簡単な説明】
【００８３】
【図１】本発明の一実施形態によるタコメータＴの部分正面図である。
【図２】図１中のＩＩ−ＩＩ線断面図である。
【図３】図２中のＩＩＩ部拡大図である。
【図４】図３中のＩＶ矢視図である。
【図５】図４中のＶ−Ｖ線断面図である。
【図６】本発明の一実施形態によるタコメータＴの電気回路構成を説明する模式図である。
【図７】文字板固定リング３をケース２のガイド部２ｂに装着する作業を説明する模式図である。
【図８】図７中のＶＩＩＩ矢視図である。
【符号の説明】
【００８４】
１    文字板
１ａ    目盛
１ｂ    文字
１ｃ    貫通孔
１ｄ    表面
１ｅ    裏面
２    ケース（保持部材）
２ａ    戴置部（固定部）
２ｂ    ガイド部（固定部）
２ｃ    導入部（固定部）
２ｄ    係止爪（固定部）
２ｅ    内周孔部
２ｆ    ストレート部
２ｇ    ランプ部
３    文字板固定リング（固定部材）
３ａ    内周孔
３ｂ    係止面
３ｃ    押さえ面
３ｄ    遮光筒（円筒部）
４    ムーブメント
４ａ    シャフト（回転軸）
５    指針
５ａ    ポインタ部
５ｂ    ボス部
６    発光ダイオード（光源）
７    プリント基板
８    発光ダイオード
９    遮光キャップ
１０    コントローラ
１１    見返し板
１２    フロントグラス
１３    ロアケース
１４    イグニッションスイッチ
１５    バッテリ
１６    回転センサ
１００    コンビネーションメータ
Ｐ    接点
Ｔ    タコメータ（計器）
【図１】
2008020413.tif 000003
【図２】
2008020413.tif 000004
【図３】
2008020413.tif 000005
【図４】
2008020413.tif 000006
【図５】
2008020413.tif 000007
【図６】
2008020413.tif 000008
【図７】
2008020413.tif 000009
【図８】
2008020413.tif 000010